(57)【要約】      （修正有）【課題】パネルの取り付けや取り外しが容易であり、低コストで製造できる遊技機を提供する。【解決手段】遊技機は、装飾用のパネル５２と、このパネル５２を背面側から照らす光源と、この光源からの光がパネル５２に向かうように光を反射するリフレクタ５３と、枠体５１とを備える。また、パネル５２は、リフレクタ５３と枠体５１とによって挟持されている。したがって、パネルの取り付けや取り外しが容易であり、低コストで製造できる。【選択図】図９
2019072297.tif 000002
【特許請求の範囲】
【請求項１】
装飾用のパネルと、このパネルを背面側から照らす光源と、この光源からの光が前記パネルに向かうように光を反射するリフレクタと、枠体とを備える遊技機であって、
前記パネルが、前記リフレクタと前記枠体とによって挟持されていることを特徴とする遊技機。
【請求項２】
前記リフレクタまたは前記枠体の少なくともいずれか一方は、前記パネルが前記挟持されている方向に垂直な方向へ動くのを規制するための規制部を備えていることを特徴とする請求項１に記載の遊技機。
【発明の詳細な説明】
【技術分野】
【０００１】
本発明は、遊技機に関する。
【背景技術】
【０００２】
スロットマシンやパチンコ遊技機等の遊技機では、遊技機を装飾するために絵や文字等が描かれたパネルが設けられることがある（例えば、特許文献１参照）。また、このようなパネルは、背面側から光源に照らされたりする。
【先行技術文献】
【特許文献】
【０００３】
【特許文献１】特開２００４−０１６３２０号公報
【発明の概要】
【発明が解決しようとする課題】
【０００４】
ところで、遊技機の組み立てや分解を容易にするために、パネルの取り付けや取り外しを容易にすることが求められている。また、製造コストの削減のために、部材点数を少なくすることが求められている。
【０００５】
本発明は、前記事情に鑑みてなされたもので、パネルの取り付けや取り外しが容易であり、低コストで製造できる遊技機を提供することを目的とする。
【課題を解決するための手段】
【０００６】
前記目的を達成するために、本発明の遊技機は、装飾用のパネルと、このパネルを背面側から照らす光源と、この光源からの光が前記パネルに向かうように光を反射するリフレクタと、枠体とを備える遊技機であって、前記パネルが、前記リフレクタと前記枠体とによって挟持されていることを特徴とする。
【０００７】
このような構成によれば、パネルが、リフレクタと枠体とによって、挟持されて固定されるので、パネルをネジ止めにより固定したり、パネルを固定するための係止爪に引っ掛けて固定したりする必要が無く、パネルの取り付けや取り外しが容易となる。また、パネルをリフレクタや枠体に固定するためのネジ等の部材が必要なくなるので、部材点数を削減することができ、製造コストを削減することができる。
【０００８】
また、本発明の前記構成において、前記リフレクタまたは前記枠体の少なくともいずれか一方は、前記パネルが前記挟持されている方向に垂直な方向へ動くのを規制するための規制部を備えていることが好ましい。
【０００９】
このような構成によれば、リフレクタまたは枠体が備える規制部により、パネルが挟持されている方向に垂直な方向に動くことが規制されるので、パネルが挟持されている方向に垂直な方向にがたつくのを防ぐことができる。
【発明の効果】
【００１０】
本発明の遊技機によれば、パネルの取り付けや取り外しを容易にでき、低コストで製造できる。
【図面の簡単な説明】
【００１１】
【図１】本発明の実施の形態に係る遊技機の一例を示すもので、その斜視図である。
【図２】同、パネルユニットを示す分解斜視図である。
【図３】同、枠体を示すもので、後側から見た斜視図である。
【図４】同、パネルを示す分解斜視図である。
【図５】同、前ケースを示すもので、後側から見た斜視図である。
【図６】同、後ケースを示すもので、後側から見た斜視図である。
【図７】同、リフレクタおよび照明基板を示すもので、前側から見た斜視図である。
【図８】同、リフレクタを示すもので、前側から見た斜視図である。
【図９】同、パネルユニットを示すもので、右側から見た断面斜視図である。
【図１０】同、パネルの枠体との係合状態を説明するための背面図である。
【発明を実施するための形態】
【００１２】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１３】
まず、発明が適用されるスロットマシンＸの概略構成について説明する。
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１４】
また、筐体１の正面には、筐体１の正面開口部を開閉可能に閉塞する前扉３が設けられている。
前記筐体１内には、図示は省略するが、リールユニットや基板ユニット等が設けられている。リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００１５】
図１に示すように、前扉３の上部中央には、平板状の上パネル４が設けられている。また、上パネル４は、その中央部に形成された透明な表示窓５と、表示窓５を囲うように形成され、絵柄が描かれた（印刷された）意匠部６とを備えている。
【００１６】
表示窓５の奥には、前記３個の回転リールが横一列に設けられている。そして、表示窓５を通して回転リールの一部が視認可能となっている。各回転リールの外周面には複数種類の図柄が配列されており、回転リールが停止すると表示窓を通して１リール当たり３個の図柄が表示される。そして、３個の回転リールが停止したときに表示窓を通して表示される図柄の組み合わせによって当選役が入賞したか否かが表示される。
【００１７】
意匠部６の背面側には、照明用の光源（ＬＥＤ）が設けられており、この光源からの光によって意匠部６に描かれた絵柄が背後から照らされるようになっている。また、前扉３の上パネル４の上部には、報知や演出などを行うための照明装置７が設けられている。また、前扉３の左右両側部には、報知や演出などを行うための照明装置８，８が設けられている。
【００１８】
また、前扉３は、筐体１にヒンジを介して回動可能に連結されることで、筐体１の開口部を開閉するようになっている。
なお、前扉３は、上側部分と下側部分とで分かれている等、複数の扉に分かれているものであってもよい。また、スロットマシンＸは、遊技店における機種の交換時に筐体１、前扉３の下側部分および筐体１内の電源ユニットやホッパーユニット等が遊技店の島設備に取り付けられたままで、前扉３の上側部分およびリールユニット等が交換可能ないわゆる分離型筐体タイプのものであってもよい。
【００１９】
また、前扉３の上下方向中央部には、スロットマシンＸを操作するための操作部１０が設けられている。また、操作部１０には、クレジットされたメダルを払い出すための精算スイッチ１１、１枚のメダルをゲームに投資するときに操作される１ベットスイッチボタン１２、３枚（最大数）のメダルをゲームに投資するときに操作されるＭＡＸベットスイッチボタン１３、ゲームを開始させるためのスタートレバー１４、回転リールの回転を停止させるためのストップスイッチ１５、メダルを投入するためのメダル投入口１６、メダル投入口１６の下方のメダル通路内で発生したメダル詰まりを解消するリジェクトボタン１７等が設けられている。
【００２０】
また、前扉３の下端部には、スロットマシン内部よりメダルを排出するためのメダル払い出し口と、メダル払い出し口から排出されたメダルを溜めておくためのメダル受け皿１８とが形成されている。また、操作部１０とメダル受け皿１８との間には遊技機の外観を装飾するためのパネルユニット５０が設けられている。
【００２１】
パネルユニット５０は、図２に示すように、前側から順に、枠体５１と、装飾用のパネル５２と、４つの照明基板５４，５５，５６，５７と、リフレクタ（ベース部材）５３と、を備えている。
【００２２】
枠体５１は、図２および図３に示すように、中央部が大きく開口した略長方形板状の枠本体６０と、この枠本体６０の上下左右の外縁部から後方に延びるようにして設けられた壁部６１ａ，６１ｂ，６１ｃ，６１ｄとを備えている。そして、枠体５１は、枠本体６０と壁部６１ａ〜６１ｄとが、黒色の合成樹脂によって一体的に成形されている。また、左右の壁部６１ｃ，６１ｄは、下側の壁部６１ｂよりも高さが高くなっている。また、上側の壁部６１ａは、左右両端部の高さが左右の壁部６１ｃ，６１ｄの隣接する部分と同じ高さとなっており、中央部の高さが左右両端部よりも低くなっている。そして、壁部６１ａ〜６１ｄによって、環状壁部６１が形成されている。
【００２３】
枠本体６０の前面側および左右の壁部６１ｃ，６１ｄの外側の面には意匠が施されており、遊技機の外観を装飾するようになっている。すなわち、枠体５１は、遊技機を装飾する意匠部材となっている。
【００２４】
枠本体６０を構成する上下左右の各板状部６０ａ，６０ｂ，６０ｃ，６０ｄのうち、上側の板状部６０ａの背面には、後方に突出する略矩形状の矩形状突出部６２，６２が左右に離間して２つ設けられている。また、これらの矩形状突出部６２の中心部には、ネジ孔６２ａが設けられている。また、左右の板状部６０ｃ，６０ｄそれぞれの背面下部にも、後方に突出する略矩形状の矩形状突出部６２が設けられており、これらの矩形状突出部６２の中心部には、ネジ孔６２ａが設けられている。また、左右の板状部６０ｃ，６０ｄそれぞれの背面上部には、後方に突出するボス６３が設けられている。また、左右の板状部６０ｃ，６０ｄそれぞれの背面上部には、ボス６３の周囲を囲うようにして、後方に突出する略矩形状の矩形状短突出部６４が設けられている。また、下側の板状部６０ｂの背面には、後方に突出するボス６３，６３が左右に離間して２つ設けられている。また、下側の板状部６０ｂの背面には、２つのボス６３，６３それぞれの周囲を囲うようにして、後方に突出する略矩形状の矩形状短突出部６４が設けられている。また、４つの矩形状短突出部６４の枠本体６０背面からの高さは、４つの矩形状突出部６２の枠本体６０背面からの高さよりも低くなっている。また、各矩形状短突出部６４の枠本体６０背面からの高さは、その中心部に設けられたボス６３の枠本体６０背面からの高さよりも低くなっている。
【００２５】
パネル５２は、図４に示すように、パネルシート７０と拡散シート７１と前ケース７２と後ケース７３とを備えている。また、パネル５２は、遊技機の外観を装飾するようになっており、光源を有する照明基板５４〜５７からの光によって照らされ、光るようになっている。
パネルシート７０は、略長方形の薄板状の部材であり、その表面には、キャラクター等の絵柄や機種名を表す文字等が印刷されている。また、パネルシート７０は、透光性を有する。
拡散シート７１は、略長方形の薄板状の部材であり、透光性を有する。また、拡散シート７１は、光を拡散するようになっており、パネル５２が面状発光するように後述するＬＥＤ９９からの光を拡散させる。
なお、拡散シート７１は、光を均一に拡散させるのではなく、パネル５２に模様が現れるように光を拡散したり、一部に光が集光するようにするものであってもよい。
【００２６】
前ケース７２および後ケース７３は、それぞれ透明の合成樹脂により各部分が一体的に成形されている。また、前ケース７２および後ケース７３は、略長方形の板状となっており、パネルシート７０と拡散シート７１とが、前ケース７２と後ケース７３とに前後から挟まれた状態でこれらの間に収容されるようになっている。より具体的には、前ケース７２は、図４および図５に示すように、後側が開口した前後方向の厚さの薄い箱状となっている。なお、図５は、前ケース７２を、前ケース７２の後側の右上方向から見下ろした図である。また、前ケース７２には、裏面側にシート収容部７５が形成されている。シート収容部７５は、裏面側から前側に向けて凹んで形成された凹部となっており、背面視においてパネルシート７０および拡散シート７１とほぼ同じ大きさとなっている。また、シート収容部７５の深さは、パネルシート７０の厚さと拡散シート７１の厚さとを足した長さとほぼ等しくなっている。そして、シート収容部７５にパネルシート７０および拡散シート７１が収容されている。
【００２７】
換言すると、前ケース７２は、略長方形の板状の前板７９と、この前板７９の四辺に沿って形成され、四辺それぞれから後方に突出する上下左右の板状部７９ａ，７９ｂ，７９ｃ，７９ｄとを備え、前板７９と上下左右の板状部７９ａ〜７９ｄとにより、後側が開口した上下左右の幅に対して厚みが薄い箱状となっている。また、前板７９は、その左右方向中央部が、左右両端部に比べて前方に突出するように湾曲した形状となっている。また、下側の板状部７９ｂおよび左右の板状部７９ｃ，７９ｄの後端面は、平面となっており、互いに面一となっている。また、上側の板状部７９ａは、その左右両端部の後端面が、平面となっており、下側の板状部７９ｂおよび左右の板状部７９ｃ，７９ｄの後端面と面一となっている。また、上側の板状部７９ａは、その左右両端部を除く部分の後端面が、当該後端面の左右方向中央部が左右両端部に比べて前方に突出するように湾曲した面となっている。また、上側の板状部７９ａの後端面の、上記湾曲した面となっている部分は、上記平面となっている部分よりもわずかに前方に位置している。また、前板７９の裏面側の周縁部を除く略全体が、裏面側から前側に向けてわずかに凹むことで、シート収容部７５が形成されている。
【００２８】
前ケース７２には、正面視において上縁および下縁の左右両端部から内側に略矩形状に切り欠くようにして、切り欠き部７６，７６が形成されている。また、前ケース７２には、正面視において左縁および右縁の上下両端部から内側に略矩形状に切り欠くようにして、切り欠き部７６，７６が形成されている。すなわち、前ケース７２には、周縁部に計８つの切り欠き部７６が形成されている。
【００２９】
また、前ケース７２は、左縁および右縁の上端部の切り欠き部７６を除く６つの切り欠き部７６部分に、切り欠き部７６の切り欠き方向奥側部分から後方に突出する係止片７７を備えている。また、前ケース７２の上縁部には、後方に突出する２つの係止爪７８，７８が左右に離間して設けられている。また前ケース７２の下縁部の中央部にも、後方に突出する係止爪７８が設けられている。
【００３０】
後ケース７３は、正面視において、前ケース７２よりも若干大きい略長方形状となっている。また、後ケース７３は、図４および図６に示すように、後側が開口した前後方向の厚さの薄い箱状のシート押さえ部８０と、このシート押さえ部８０の後端縁から外側に突出するように形成されたフランジ部８１ａとを備えている。なお、図６は、後ケース７３を、後ケース７３の後側の右下方向から見上げた図である。また、後ケース７３は、フランジ部８１ａの上縁から後方に向けて突出する上板８１ｂを備えている。そして、後ケース７３の上端部は、フランジ部８１ａと上板８１ｂとによって、後方から下方にかけて開口した断面Ｌ字状となっている（図９参照）。また、後ケース７３の背面側左下端部には、突起部８２が設けられている。
【００３１】
換言すると、後ケース７３は、略長方形の板状の前板８９と、この前板８９の四辺に沿って形成され、四辺それぞれから後方に突出する上下左右の板状部８９ａ，８９ｂ，８９ｃ，８９ｄとを備えている。そして、前板８９と上下左右の板状部８９ａ〜８９ｄとにより、後側が開口した上下左右の幅に対して厚みが薄い箱状のシート押さえ部８０が形成されている。また、前板８９は、その左右方向中央部が、左右両端部に比べて前方に突出するように、前ケース７２の前板７９と同様の曲率で湾曲した形状となっている。また、上下左右の板状部８９ａ〜８９ｄのそれぞれの後端縁から外側（板状部８９ａ〜８９ｄそれぞれの外側面側。シート押さえ部８０から上下左右に離れる方向。）に突出するようにしてフランジ部８１ａが形成されている。すなわち、板状部８９ａ〜８９ｄは、全体として、略矩形環状に配置されている。また、フランジ部８１ａは、正面視において略矩形枠状となっている。そして、略矩形環状に配置された板状部８９ａ〜８９ｄの後端縁とフランジ部８１ａの内周縁とが接続されている。また、フランジ部８１ａの上辺部の上縁の左右両端部を除く部分から後方に突出するようにして、上板８１ｂが設けられている。また、フランジ部８１ａの下辺部、左辺部および右辺部の背面と、フランジ部８１ａの上辺部の左右両端部の背面と、上板８１ｂの後端面とは、面一となっている。すなわち、フランジ部８１ａは、その上辺部の、左右両端部を除く一帯が、フランジ部８１ａの他の部分に比べ前側に位置している。また、フランジ部８１ａの当該一帯は、その左右方向中央部が、左右両端部に比べ前側に突出するように湾曲した形状となっている。
【００３２】
後ケース７３には、正面視において上縁および下縁の左右両端部それぞれから内側に略矩形状に切り欠くようにして、切り欠き部８３，８３が形成されている。また、後ケース７３には、正面視において左縁および右縁の上下両端部それぞれから内側に略矩形状に切り欠くようにして、切り欠き部８３，８３が形成されている。すなわち、後ケース７３には、周縁部に計８つの切り欠き部８３が形成されている。また、後ケース７３の８つの切り欠き部８３それぞれは、前ケース７２の８つの切り欠き部７６それぞれに対向する位置に設けられている。
【００３３】
また、後ケース７３の上端部には、矩形状の穴８４，８４が左右に離間して２つ設けられている。また、後ケース７３の下端部の中央部にも、矩形状の穴８４が設けられている。また、これらの３つの穴８４それぞれは、前ケース７２の３つの係止爪７８それぞれに対向する位置に設けられている。また、後ケース７３の上端部の２つの穴８４，８４は、当該穴８４を形成する上辺部の前後方向の長さが、当該穴８４を形成する下辺部の前後方向の長さよりも短くなっている。また、後ケース７３の下端部の穴８４は、当該穴８４を形成する下辺部の前後方向の長さが、当該穴８４を形成する上辺部の前後方向の長さよりも短くなっている。
【００３４】
パネルシート７０、拡散シート７１、前ケース７２および後ケース７３は、前ケース７２のシート収容部７５に収容されたパネルシート７０と拡散シート７１とが、後ケース７３のシート押さえ部８０によって後方から押さえられた状態で一体化されている。また、後ケース７３のシート押さえ部８０は、箱状の前ケース７２の内側に入り込んだ状態となっているとともに、後ケース７３のフランジ部８１ａの前面に前ケース７２の後端面が当接した状態となっている。すなわち、前ケース７２の板状部７９ａ〜７９ｄの後端面が、後ケース７３のフランジ部８１ａの前面に当接した状態となっている。また、正面視において、後ケース７３（フランジ部８１ａ）の外周縁は、前ケース７２の外周縁よりも外側に突出した状態となっている。また、後ケース７３の上端部の２つの穴８４，８４それぞれには、対向する位置にある前ケース７２の係止爪７８が挿入され、これらの係止爪７８がそれぞれの穴８４を形成する上辺部に係止されている。また、後ケース７３の下端部の穴８４には、対向する位置にある前ケース７２の係止爪７８が挿入され、この係止爪７８が穴８４を形成する下辺部に係止されている。そして、前ケース７２の係止爪７８が穴８４を形成する上辺部または下辺部、すなわち後ケース７３に係止されることにより、前ケース７２と後ケース７３とが前後方向にバラバラになることが防がれている。また、ここで、後ケース７３の上端部の２つの穴８４を形成する上辺部の前後方向の長さが、当該穴８４を形成する下辺部の前後方向の長さよりも短くなっていることにより、係止爪７８の爪部分が当該上辺部よりも後方に突出して係止されるとともに、係止爪７８の先端が当該下辺部よりも前側に位置するようになっている（後ケース７３の後方に突出しないようになっている）。また、後ケース７３の下端部の穴８４を形成する下辺部の前後方向の長さが、当該穴８４を形成する上辺部の前後方向の長さよりも短くなっていることにより、係止爪７８の爪部分が当該下辺部よりも後方に突出して係止されるとともに、係止爪７８の先端が当該上辺部よりも前側に位置するようになっている（後ケース７３の後方に突出しないようになっている）。
また、前ケース７２の６つの係止片７７は、それぞれ各係止片７７に対向する位置にある後ケース７３の切り欠き部８３に挿入された状態となっている。
【００３５】
このようにして一体化されたパネルシート７０、拡散シート７１、前ケース７２および後ケース７３によってパネル５２が形成されている。そして、パネル５２は、全体として略長方形の板状となっている。なお、本実施の形態のスロットマシンＸにおいては、パネルシート７０、拡散シート７１、前ケース７２および後ケース７３は、左右方向における中央部が両端部に比べ僅かに前側に突出しており、湾曲した形状となっている。
なお、パネル５２は、複数の部材によって構成されていなくてもよい。例えば、パネルシート７０のような１枚の板状部材をパネル５２として用いることとしてもよい。また、パネルシート７０や拡散シート７１のようなシート状の部材を収容するケースは、前ケース７２と後ケース７３のように複数に分かれていなくてもよい。
【００３６】
パネル５２は、前ケース７２の８つの切り欠き部７６それぞれと後ケース７３の８つの切り欠き部８３それぞれとが、正面視において重なり合うことで、周縁部が８か所切り欠かれた状態となっており、この切り欠かれた８か所が、後述する規制部と係合する被規制部９０となっている（図２および図１０参照）。
【００３７】
リフレクタ５３は、透光性を有しない白色の合成樹脂により一体的に成形されている。そして、リフレクタ５３は、４つの照明基板５４〜５７を保持するとともに、各照明基板５４〜５７からの光をパネル５２の方向（前方）に向けて反射するようになっている。
【００３８】
照明基板５４〜５７は、図７に示すように、左右に長尺な板状となっている。具体的には、リフレクタ５３の下段に配置される照明基板５４と、リフレクタ５３の中段に配置される照明基板５５とは、左右方向の長さが同じになっており、リフレクタ５３の上段に配置される照明基板５６，５７は、左右方向の長さが照明基板５４，５５の約半分となっている。また、照明基板５４〜５７は、一方の面に光源としてのＬＥＤ９９を備えている。また、照明基板５４〜５７は、他方の面にＬＥＤ９９を光らせるための電源や制御信号を供給するためのコネクタを備えている。
【００３９】
リフレクタ５３は、図８および図９に示すように、前側が開口した箱状となっており、正面視においてパネル５２とほぼ同じ大きさとなっている。また、リフレクタ５３の背板１００は、側面視において階段状となっている。そして、リフレクタ５３は略３段階の奥行きを持ち、下側ほど奥行きのある箱形となっている。具体的には、背板１００は、左右に長尺で略鉛直な方向に延びる下段部１００ａ、中段部１００ｂおよび上段部１００ｃを備えているとともに、下段部１００ａと中段部１００ｂとをつなぐ第一傾斜部１００ｄおよび中段部１００ｂと上段部１００ｃとをつなぐ第二傾斜部１００ｅを備えている。そして、下段部１００ａの上縁から前側上方に向けて第一傾斜部１００ｄが延び、この第一傾斜部１００ｄの上縁（前縁）から上方に向けて中段部１００ｂが延び、この中段部１００ｂの上縁から前側上方に向けて第二傾斜部１００ｅが延び、この第二傾斜部１００ｅの上縁（前縁）から上方に向けて上段部１００ｃが延びた状態となっている。また、上段部１００ｃは、その前面の下部が下方ほど前側に行くように湾曲した凹状の湾曲面１００ｆとなっている。
【００４０】
下段部１００ａには、図８に示すように、照明基板５４の前面（ＬＥＤ９９がある側の面）が前側上方を向いた状態で照明基板５４を保持する基板保持部１０２が設けられている（図７および図９参照）。また、中段部１００ｂには、照明基板５５の前面（ＬＥＤ９９がある側の面）が前側上方を向いた状態で照明基板５５を保持する基板保持部１０３が設けられている。また、上段部１００ｃの上縁部には、照明基板５６および照明基板５７の下面（ＬＥＤ９９がある側の面）が下方かつわずかに後方を向いた状態で照明基板５６または照明基板５７を保持する基板保持部１０４，１０５が設けられている。また、基板保持部１０４と基板保持部１０５とは、左右に並べて設けられており、照明基板５６と照明基板５７とは、左右に並べられた状態で基板保持部１０４，１０５に保持されている。そして、照明基板５４，５５からの光は直接パネル５２の方に向かうとともに、一部の光は第一傾斜部１００ｄや第二傾斜部１００ｅ等で反射されパネル５２の方に向かうようになっている。また、照明基板５６，５７からの光は上段部１００ｃの平坦な部分や湾曲面１００ｆで反射されパネル５２の方に向かうようになっている。
【００４１】
リフレクタ５３の前面１１０は、正面視において、箱状となっているリフレクタ５３の開口部を囲う略矩形枠状となっている。また、前面１１０の上辺部１１０ａの中央部には、コ字状突出部１１１が前方に突出して設けられている。また、コ字状突出部１１１は、正面視において上側が開口した略コ字状となっている。
また、前面１１０の下辺部１１０ｂには、前方に突出する略矩形状の矩形状突出部１１２，１１２が左右に離間して２つ設けられている。また、これらの矩形状突出部１１２の中心部には、ネジを挿通するためのネジ挿通孔１１２ａが設けられている。また、前面１１０の下辺部１１０ｂの左端部には、パネル５２の突起部８２を挿入するための挿入孔１１３が設けられている。また、前面１１０の下辺部１１０ｂの右端部には、挿入孔１１３と同様の大きさの貫通孔１１６が設けられている。なお、パネル５２には、貫通孔１１６に対応する（挿入される）突起部が設けられていてもよい。
また、前面１１０の左辺部１１０ｃおよび右辺部１１０ｄそれぞれには、２つの凹所１１４，１１５が上下に離間して設けられている。また、これらの凹所１１４，１１５のうち、上側の凹所１１４の中心部には、ネジを挿通するためのネジ挿通孔１１４ａが設けられている。
【００４２】
枠体５１と、パネル５２と、リフレクタ５３とは、図９に示すように、枠体５１とリフレクタ５３とがパネル５２を挟み込んだ状態で固定されることにより、一体化されている。具体的には、枠体５１本体の背面とパネル５２の前面の周縁部（前ケース７２の前面の周縁部）とが当接し、パネル５２の背面の周縁部（後ケース７３のフランジ部８１ａの左辺部、右辺部および下辺部の背面ならびに上板８１ｂの後端面）とリフレクタ５３の前面１１０とが当接した状態で、枠体５１とリフレクタ５３とが固定されている。また、枠体５１とリフレクタ５３との固定はネジ止めにより行われている。具体的には、リフレクタ５３の４つのネジ挿通孔１１２ａ，１１４ａに挿通されたネジ１２０（締結具）が、枠体５１の備えるボス６３のネジ穴にねじ込まれることにより、枠体５１とリフレクタ５３とが固定されている（図１０参照）。また、パネル５２は、互いに固定された枠体５１とリフレクタ５３とによって挟持されることにより、固定された状態となっている。
【００４３】
また、図１０に示すように、枠体５１の４つの矩形状突出部６２は、それぞれ対向する位置にあるパネル５２の被規制部９０に挿入された状態となっている。また、枠体５１の４つの矩形状短突出部６４も、それぞれ対向する位置にあるパネル５２の被規制部９０に挿入された状態となっている。ここで、矩形状突出部６２は、矩形状短突出部６４よりも高さが高いので、矩形状突出部６２のほうが矩形状短突出部６４よりもパネル５２に対して深く挿入された状態となっている。また、矩形状突出部６２および矩形状短突出部６４の突出方向先端部よりもパネル５２のリフレクタ５３に当接する面（後ケース７３のフランジ部８１ａの左辺部、右辺部および下辺部の背面ならびに上板８１ｂの後端面）の方が後側に位置した状態となっている。そして、パネル５２の被規制部９０が、枠体５１の矩形状突出部６２および矩形状短突出部６４に係止されることで、パネル５２の上下左右への動きが規制されている。すなわち、矩形状突出部６２および矩形状短突出部６４は、枠体５１とリフレクタ５３とによる挟持方向に垂直な方向にパネル５２が動くのを規制する規制部６２，６４となっている。
【００４４】
また、リフレクタ５３の２つの矩形状突出部１１２は、それぞれ対向する位置にあるパネル５２の被規制部９０に挿入された状態となっている。すなわち、パネル５２の下側の２つの被規制部９０には、前側からパネル５２の矩形状短突出部６４が挿入され、後側からリフレクタ５３の矩形状突出部１１２が挿入された状態となっている。また、パネル５２の突起部８２は、リフレクタ５３の挿入孔１１３に挿入された状態となっている。そして、パネル５２の被規制部９０がリフレクタ５３の矩形状突出部１１２に係止され、パネル５２の突起部８２がリフレクタ５３の挿入孔１１３の周縁部に係止されることで、パネル５２の上下左右への動きが規制されている。すなわち、矩形状突出部１１２および突起部８２は、枠体５１とリフレクタ５３とによる挟持方向に垂直な方向にパネル５２が動くのを規制する規制部１１２，８２となっている。
【００４５】
また、図９に示すように、リフレクタ５３のコ字状突出部１１１には、パネル５２の上板８１ｂが係止され、パネル５２の下方への動きが規制されている。すなわち、コ字状突出部１１１は、パネル５２が下方に動くのを規制する規制部１１１となっている。
【００４６】
また、パネル５２の外周面は、枠体５１の環状壁部６１の内周面に近接または当接した状態となっている。すなわち、パネル５２の外周面は、枠体５１の環状壁部６１に囲われた状態となっている。
【００４７】
このような構成によれば、パネル５２が、リフレクタ５３と枠体５１とによって、挟持されて固定されるので、パネル５２をリフレクタ５３あるいは枠体５１にネジや係止爪等を用いて直接固定する必要がない。したがって、パネル５２の取り付けや取り外しを容易にできる。また、パネル５２をリフレクタ５３や枠体５１に固定するためのネジ等の部材が必要なくなるので、部材点数を削減することができ、製造コストを低減することができる。また、本実施の形態のスロットマシンＸにおいては、パネル５２には、リフレクタ５３と枠体５１とを一体化するための締結具としてのネジ１２０を挿通するための挿通孔は設けられておらず、リフレクタ５３と枠体５１とを一体化させるときにパネル５２にネジを挿通させる必要がない。したがって、パネル５２とリフレクタ５３と枠体５１とを一体化させる作業を容易にすることができる。
【００４８】
また、リフレクタ５３および枠体５１は、パネル５２が、リフレクタ５３と枠体５１とによって挟持されている方向に垂直な方向（上下左右方向）に動くのを規制するための規制部６２，６４，８２，１１１，１１２を備えているので、パネル５２が上下左右にがたつくのを防ぐことができる。
なお、パネル５２が上下左右に動くのを規制するための規制部は、リフレクタ５３または枠体５１のいずれか一方にのみ設けられていてもよい。
【符号の説明】
【００４９】
５１  枠体
５２  パネル
５３  リフレクタ
６２  矩形状突出部（規制部）
６４  矩形状短突出部（規制部）
８２  突起部（規制部）
９９  ＬＥＤ（光源）
１１１  コ字状突出部（規制部）
１１２  矩形状突出部
Ｘ  スロットマシン
【図１】
2019072297.tif 000003
【図２】
2019072297.tif 000004
【図３】
2019072297.tif 000005
【図４】
2019072297.tif 000006
【図５】
2019072297.tif 000007
【図６】
2019072297.tif 000008
【図７】
2019072297.tif 000009
【図８】
2019072297.tif 000010
【図９】
2019072297.tif 000011
【図１０】
2019072297.tif 000012